(57)【要約】【課題】高圧高温の所での容積形流体モータ又はロータリエンジンではバネスペースが限られているいるのでらせんバネだとバネスペースよりバネの方が大きくなるのでバネの形を変える事バネは熱に弱いから熱に強い形のバネにする。【解決手段】板の見付形が任意の形の円盤プレートバネを何枚かそして何組か設け中心部に小柱を１組置毎に設け小柱を設けた隣りの組に１組置毎に任意の形で中空の外輪スペーサを設けて応力部側の円盤プレートバネと反力部側の円盤プレートバネに小柱を設けて各各の小柱と応力部そして反力部を押す。円盤プレートバネの反発力を増すには円盤プレートバネを加えてやれば良い必要により円盤プレートバネに冷却手段を設けて冷やしてやれば良い。【選択図】図１０
2010276195.tif 000002
【特許請求の範囲】
【請求項１】
板の見付の形が任意の形の円盤プレートバネ（３）。（４）を何枚かそして何組か設けて１組置毎に中空の外輪スペーサー（５）、（１１）を設け外輪スペーサの隣で１組置毎に小柱（２）、（８）、（１４）を設けて小柱（２）、（８）、（１４）にかかる圧縮力を円盤プレートバネ（３）、（４）、（６）、（７）、（９）、（１０）、（１１）、（１３）の各各を３６０度方向に分散させてその所にかかる力を弱めて伝える事により小さくても大きな力の負担を可とした事を特徴とした円盤プレートバネ。
【請求項２】
隣り合う円盤プレートバネの組で何枚かで何組かの穴付円盤プレートバネ（５２）、（５４）と（５６）、（５７）、又は（５８）、（５９）、（７４）、（７５）を何郡かの外開き止め（５３）、（６０）で隣り合う円盤プレートバネの組を１組置毎に結合し何番郡かの外開き止めに係る穴付円盤プレートバネと隣りの外開き止めに係る穴付円盤プレートバネとひっかけ手段付小柱（５１）、（７６）（６６）で結合して引張力を分散する事でその所にかかる力が少なくなるので小さくても大きな力を負担を可とする事を特徴とした円盤プレートバネ。
【請求項３】
隣り合う何番組かの穴付円盤プレートバネ（５２）、（５４）、と（５６）、（５７）又は（５８）、（５９）と（７４）、（７５）の外開き止めの内側に外輪スペーサ（５５）、（６１）を設けて圧縮又は引張の両方の働きをさせる事を特徴とした円盤プレートバネ。
【請求項４】
座屈止め手段とした事を特徴とした円盤プレートバネ。
【請求項５】
座屈止め手段と防熱手段と兼用する事を特徴とした請求項４記載の円盤プレートバネ。
【請求項６】
防熱手段を複数組設ける事を特徴とした請求項５記載の円盤プレートバネ。
【請求項７】
座屈止め手段と防熱手段を組み合せた事を特徴とした請求項１、２、３、４、５、６、記載の円盤プレートバネ。
【請求項８】
座屈止め手段と防熱手段と冷却手段を組み合せる事を特徴とした請求項７記載の円盤プレートバネ。
【発明の詳細な説明】
【技術分野】
【０００１】僅かしか動かなくても良いから熱に強い形である事それから小さなスペースの中のバネで大きな力の負担に耐える事。
【背景技術】
【０００２】実公昭２７−７５０５等がある。
【発明の開示】
【発明が解決しようとする課題】
【０００３】僅かしか動かなくても良いから熱に強い形のバネそして反発力の大きいバネ容積形流体モータとかロータリエンジンに用いるバネでねじれ変形のバネは爆発力の気圧が高いのでそのスペースの中のバネはそのスペース以上の大きさのバネになる、スペースを大きくすると受圧面積も大きくなりどこまで行ってもバネスペースよりバネの方が大きくなる、ねじれ変形のバネは出来れば使いたくないねじれ変形はせん断変形だから弱いそして熱にも弱い。
【課題を解決するための手段】
【０００４】円盤プレートバネの見付形は正多角形か円形で出来れば円形が良い。反発力を決められたスペースの中の部材で出来るだけ多くの材の量に分散して２次の材の量に伝達しそして材の量に分散した力を１点に集中させ１点に集中させた力を３次の材の量に伝達して力を分散して４次の材の量に伝達して４次の材の量に分散した力を４次の材の量の１点に集中させた力を基体に逃がす【０００５】分散した力は応力反力共小さくなるのでたわみは小さくなるので大きな応力に耐えられる。円盤プレートバネは中央が押されると中央は凹むが円周廻りに圧縮が生ずるので複云力及び反発力が大きいのでバネに最適であるそしてバネの反発力を大きくするのも円盤プレートバネの枚数を加えていけば良いので簡単である。座屈止めは１方の応力部１と他方の反力部１５に各各スライドケースの１方２０とスライドケースの他方２１を設けて嵌合させるか又は外開き止め５３、６０に各各嵌合部の１方を設けて各各の嵌合部の１方に嵌合部の他方をスライド可に嵌合させる。
【発明の効果】
【０００６】円盤全体で力を受けるので円盤の周囲に力が分散され円盤のたわみが小さくなるので小さい動きのバネに適する。
熱によりバネの反発力が弱くなっても力が分散され応力が小さくなるので熱にもバネとしての機能が充分に発揮される、又バネの反発力を増す時は円盤プレートバネを加えてやれば良い又スライドケースの１方とスライドケースの他方を嵌合させて各各の端を応力部と反力部に固着させる。座屈止めにもなるし防熱枠としても使用出来る。
【発明が実施するための最良の形態】
【０００７】１番組の円盤プレートバネ３、４を何枚か設けた１方に１番目小柱２を固着して応力部１と接しさせ他方に１番目の外輪スペーサ５を設けて外輪スペース５の他端に２番組の円盤プレートバネ６、７を何枚か設けて２番目小柱８を固着し２番目の小柱８の他端に３番組の円盤プレートバネ９、１０を何枚か設け３番組の円盤プレートバネ９、１０の他端に２番目外輪スペーサ１１を設けて２番目の外輪スペーサ１１の他側に４番組の円盤プレートバネ１２、１３を何枚か設け４番組の円盤プレートバネ１２、１３他側に３番目の小柱１４を設けて好みにより上記のような事を何回かくり返えして反力部と何番目かの小柱で押しさせる。
そして外側から応力部１に固着したスライドケースの１方２０と反力部１５に固着したスライドケースの他方２１を嵌合させる。スライドケースの１方とスライドケースの他方は穴をたくさん設ける。穴を設けたスライドケース１方とスライドケースの他方の周囲に冷却パイプ４５０、４５１、４５３、４５２  ４５４、４５６を設けて冷却パイプの外側に応力部４００に固着された内防熱ケース外４０３と反力部４０６に固着した内防熱ケース内４０５で囲い通水管を応力部又は反力部の少なくともどちらか１方に設けた通水管４０８、４０７と通水させる。
【実施例】
【０００８】小柱は円盤プレートバネの中央に設けた方が良い円盤プレートバネは圧縮用に用いた方が良いと思うが引っ張りに用いる時は１番組と２番組の隣り合った穴付円盤プレートバネの外側に１番郡の外開き止め５３と内側に外輪・スペーサ５５を設け３番組円盤プレートバネの中央と４番組円盤プレートバネの中央に穴を設け３番組円盤プレートバネと４番組円盤プレートバネを２番郡の外開き止め６０で内側に２番目の外輪スペーサ６１を設けて結合させ１番組円盤スペースバネの穴に１番目ひっかけ小柱５１を結合させて外端を応力部に接っしさせ２番組円盤プレートバネ５６、５７の穴と３番組円盤プレートバネ５８、５９の穴に２番目ひっかけ小柱７６で結合させ４番組円盤プレートバネ７４、７５の穴３番目ひっかけ小柱６６を結合させて上記のような事を何回かくり返して最後のひっかけ小柱を反力部に固着するそして中央に穴を設けた１番組円盤プレートバネに１番目ひっかけ小柱５１を嵌合させて他側を応力部に結合する【０００９】ひっかけ６２、６３、６４、６５は円周部とする。スライドレール７８、７７は外開き止めにひっかけ部を結合してスライドレール７７、６３を嵌合させても良い（開き止めにひっかけ部を設けてスライドレール７８、７７とスライド可に嵌合させても良い冷却パイプは反力部４０６に固着する穴付スライドケース外４０４に支持するか又は反力部４０６に固着する内スライドケース内４０５にに支持させる。縦の冷却パイプ４１４、そして横の冷却パイプそして縦の冷却パイプ４１２と通水し冷却パイプ４１５から横の冷却パイプそして縦の冷却パイプ４１３と通水する。動かない反力部に通水管を設けた方が良い
【産業上の利用可能性】
【００１０】電力産業
自動車産業
【図面の簡単な説明】
【００１１】
【図１】円盤プレートバネの１般立面図
【図２】Ａ−Ａ断面図。
【図３】Ｂ−Ｂ断面図。
【図４】引っ張り可の円盤プレートバネの１般立面図。
【図５】Ｃ−Ｃ断面図。
【図６】Ｄ−Ｄ断面図。
【図７】碗曲面の円盤プレートバネの縦断面図。
【図８】碗曲面の円盤プレートバネの縦断面図。
【図９】碗曲面の円盤プレートバネの縦断面図。
【図１０】円盤プレートバネの１般縦断面図。
【図１１】Ｅ−Ｅ断面図
【符号の説明】
【００１２】応力部                        １、４００
小柱                          ２、８、１４
反力部                        １５
スライドケース他方            ２１
スライドケース１方            ２０
つなぎ                        １８、１９、１７、１６、２２、
２３、２４、２５
１番目外輪スペーサ            ５５  ４３２
２番目外輪スペーサ            ６１  ４２６
１番組穴付円盤プレートバネ    ５２、５４
２番組穴付円盤プレートバネ    ５６、５７
３番組穴付円盤プレートバネ    ５８、５９
４番組穴付円盤プレートバネ    ７４、７５
１番郡外開き止め              ５３
２番郡外開き止め              ６０
１番組円盤プレートバネ        ３、４、４２０、４２１
２番組円盤プレートバネ        ６、７、４２２、４１１
３番組円盤プレートバネ        ９、１０、４２４、４２５
４番組円盤プレートバネ        １２、１３、４２７、４２８
１番目小柱                    ２、４３１
２番目小柱                    ８、４３０
３番目小柱                    １４、４２９
１番目外輪スペーサ            ５  ４３２
２番目外輪スペーサ            １１、４２５
ひっかけ部                    ６２、６３、６４、６５、７３
７２、６８、６７
１番目ひっかけ小柱            ５１
２番目ひっかけ小柱            ７６
３番目ひっかけ小柱            ６６
スライドレール                ７８、７７
小柱                          ３０６  １００、１０６、２００、２０６、３００
碗曲面円盤プレートバネ        １０１、１０２、１０４、１０５、２０１、２０２
２０４、２０５、３０１、３０２、３０４、３０５
外輪スペーサ                  １０３、２０３、３０３
冷却パイプ                    ４５０、４５１、４５２、４５３
穴付スライドケース内          ４０２
穴付スライドケース外          ４０４
内防熱ケース内                ４０５
内防熱ケース外                ４０３
外防熱ケース内                ４０９
外防熱ケース外                ４１０
【図１】
2010276195.tif 000003
【図２】
2010276195.tif 000004
【図３】
2010276195.tif 000005
【図４】
2010276195.tif 000006
【図５】
2010276195.tif 000007
【図６】
2010276195.tif 000008
【図７】
2010276195.tif 000009
【図８】
2010276195.tif 000010
【図９】
2010276195.tif 000011
【図１０】
2010276195.tif 000012
【図１１】
2010276195.tif 000013
【手続補正書】
【提出日】平成21年6月2日(2009.6.2)
【手続補正１】
【補正対象書類名】明細書
【補正対象項目名】全文
【補正方法】変更
【補正の内容】
【発明の詳細な説明】
【技術分野】
【０００１】僅かしか動かなくても良いから熱に強い形である事それから小さなスペースの中のバネで大きな力の負担に耐える事。
【背景技術】
【０００２】実公昭２７−７５０５等がある。
【発明の開示】
【発明が解決しようとする課題】
【０００３】僅かしか動かなくても良いから熱に強い形のバネそして反発力の大きいバネ容積形流体モータとかロータリエンジンに用いるバネでねじれ変形のバネは爆発力の気圧が高いのでそのスペースの中のバネはそのスペース以上の大きさのバネになる、スペースを大きくすると受圧面積も大きくなりどこまで行ってもバネスペースよりバネの方が大きくなる、ねじれ変形のバネは出来れば使いたくないねじれ変形はせん断変形だから弱いそして熱にも弱い。
【課題を解決するための手段】
【０００４】円盤プレートバネの見付形は正多角形か円形で出来れば円形が良い。反発力を決められたスペースの中の部材で出来るだけ多くの材の量に分散して２次の材の量に伝達しそして材の量に分散した力を１点に集中させ１点に集中させた力を３次の材の量に伝達して力を分散して４次の材の量に伝達して４次の材の量に分散した力を４次の材の量の１点に集中させた力を基体に逃がす【０００５】分散した力は応力反力共小さくなるのでたわみは小さくなるので大きな応力に耐えられる。円盤プレートバネは中央が押されると中央は凹むが円周廻りに圧縮が生ずるので複元力及び反発力が大きいのでバネに最適であるそしてバネの反発力を大きくするのも円盤プレートバネの枚数を加えていけば良いので簡単である。座屈止めは１方の応力部１と他方の反力部１５に各各スライドケースの１方２０とスライドケースの他方２１を設けて嵌合させるか又は外開き止め５３、６０に各各嵌合部の１方を設けて各各の嵌合部の１方に嵌合部の他方をスライド可に嵌合させる。
【発明の効果】
【０００６】円盤全体で力を受けるので円盤の周囲に力が分散され円盤のたわみが小さくなるので小さい動きのバネに適する。
熱によりバネの反発力が弱くなっても力が分散され応力が小さくなるので熱にもバネとしての機能が充分に発揮される、又バネの反発力を増す時は円盤プレートバネを加えてやれば良い又スライドケースの１方とスライドケースの他方を嵌合させて各各の端を応力部と反力部に固着させる。座屈止めにもなるし防熱枠としても使用出来る。
【発明が実施するための最良の形態】
【０００７】１番組の円盤プレートバネ３、４を何枚か設けた１方に１番目小柱２を固着して応力部１と接しさせ他方に１番目の外輪スペーサ５を設けて外輪スペース５の他端に２番組の円盤プレートバネ６、７を何枚か設けて２番目小柱８を固着し２番目の小柱８の他端に３番組の円盤プレートバネ９、１０を何枚か設け３番組の円盤プレートバネ９、１０の他端に２番目外輪スペーサ１１を設けて２番目の外輪スペーサ１１の他側に４番組の円盤プレートバネ１２、１３を何枚か設け４番組の円盤プレートバネ１２、１３他側に３番目の小柱１４を設けて好みにより上記のような事を何回かくり返えして反力部と何番目かの小柱で押しさせる。
そして外側から応力部１に固着したスライドケースの１方２０と反力部１５に固着したスライドケースの他方２１を嵌合させる。スライドケースの１方とスライドケースの他方は穴をたくさん設ける。穴を設けたスライドケース１方とスライドケースの他方の周囲に冷却パイプ４５０、４５１、４５３、４５２  ４５４、４５６を設けて冷却パイプの外側に応力部４００に固着された内防熱ケース外４０３と反力部４０６に固着した内防熱ケース内４０５で囲い通水管を応力部又は反力部の少なくともどちらか１方に設けた通水管４０８、４０７と通水させる。
【実施例】
【０００８】小柱は円盤プレートバネの中央に設けた方が良い円盤プレートバネは圧縮用に用いた方が良いと思うが引っ張りに用いる時は１番組と２番組の隣り合った穴付円盤プレートバネの外側に１番郡の外開き止め５３と内側に外輪・スペーサ５５を設け３番組円盤プレートバネの中央と４番組円盤プレートバネの中央に穴を設け３番組円盤プレートバネと４番組円盤プレートバネを２番郡の外開き止め６０で内側に２番目の外輪スペーサ６１を設けて結合させ１番組円盤スペースバネの穴に１番目ひっかけ小柱５１を結合させて外端を応力部に接っしさせ２番組円盤プレートバネ５６、５７の穴と３番組円盤プレートバネ５８、５９の穴に２番目ひっかけ小柱７６で結合させ４番組円盤プレートバネ７４、７５の穴３番目ひっかけ小柱６６を結合させて上記のような事を何回かくり返して最後のひっかけ小柱を反力部に固着するそして中央に穴を設けた１番組円盤プレートバネに１番目ひっかけ小柱５１を嵌合させて他側を応力部に結合する。【０００９】ひっかけ６２、６３、６４、６５は円周部とする。スライドレール７８、７７は外開き止めにひっかけ部を結合してスライドレール７７、６３を嵌合させても良いし開き止めにひっかけ部を設けてスライドレール７８、７７をスライド可に嵌合させても良い冷却パイプは反力部４０６に固着する穴付スライドケース外４０４に支持するか又は反力部４０６に固着する内スライドケース内４０５にに支持させる。縦の冷却パイプ４１４、そして横の冷却パイプそして縦の冷却パイプ４１２と通水し冷却パイプ４１５から横の冷却パイプそして縦の冷却パイプ４１３と通水する。動かない反力部に通水管を設けた方が良い。円盤プレートバネを上の穴部を除いて水ケース外枠５１６、と水ケース内枠５１７の間に冷却液を入れそして上水ケース上５３０と上水ケース下５３１の間に冷却液を入れて反力部５１４に設けた通水管５１５又は５１３のどちらか１方から冷却液を入れ他方から冷却液を出す、水ケース内枠５１７と円盤プレートバネの間に水ケース内枠５１７に固着した座屈止レール５２８、５２７、５２９、５２６を複数本設ける。又は円盤プレートバネの外側に円盤プレートバネにスライド可にして座屈止レール６０６、６３１、６３０、６３３を複数本設けて１方の固着介部を固着し他方をその外側に設けた水囲い枠６０５に固着し中に冷却液を入れて円盤プレートバネを直接冷やす、反力部に通水管６１４、６１３を設け１方から冷却液を入れ他方から使用済みの冷却液を出す。水囲い枠の上部の水囲い上枠６０１と１番目小柱の摺接部に油だめ６２８を設けて油、グリス止水油等を入れる。
【産業上の利用可能性】
【００１０】電力産業
自動車産業
【図面の簡単な説明】
【００１１】
【図１】円盤プレートバネの１般立面図。
【図２】Ａ−Ａ断面図
【図３】Ｂ−Ｂ断面図。
【図４】引っ張り可の円盤プレートバネの１般立面図。
【図５】Ｃ−Ｃ断面図。
【図６】Ｄ−Ｄ断面図。
【図７】碗曲面の円盤プレートバネの縦断面図。
【図８】碗曲面の円盤プレートバネの縦断面図。
【図９】碗曲面の円盤プレートバネの縦断面図。
【図１０】円盤プレートバネの１般縦断面図。
【図１１】Ｅ−Ｅ断面図
【図１２】円盤プレートバネの１般縦断面図。
【図１３】Ｆ−Ｆ断面図
【図１４】円盤プレートバネの１般縦断面図。
【図１５】Ｇ−Ｇ断面図。
【符号の説明】
【００１２】応力部                        １、４００
小柱                          ２、８、１４
反力部                        １５
スライドケース他方            ２１
スライドケース１方            ２０
つなぎ                        １８、１９、１７、１６、２２、２３、２４、２５、
１番目外輪スペーサ            ５５  ４３２
２番目外輪スペーサ            ６１  ４２６
１番目穴付円盤プレートバネ    ５２、５４
２番組穴付円盤プレートバネ    ５６、５７
３番組穴付円盤プレートバネ    ５８、５９
４番組穴付円盤プレートバネ    ７４、７５
１番郡外開き止め              ５３
２番郡外開き止め              ６０
１番組円盤プレートバネ        ３、４、４２０、４２１
２番組円盤プレートバネ        ６、７、４２２、４１１
３番組円盤プレートバネ        ９、１０、４２４、４２５
４番組円盤プレートバネ        １２、１３、４２７、４２８
１番目小柱                    ２、４３１
２番目小柱                    ８、４３０
３番目小柱                    １４、４２９
１番目外輪スペーサ            ５  ４３２
２番目外輪スペーサ            １１、４２５
ひっかけ部                    ６２、６３、６４、６５、７３  ７２、６８、６７
１番目ひっかけ小柱            ５１
２番目ひっかけ小柱            ７６
３番目ひっかけ小柱            ６６
スライドレール                ７８、７７
小柱                          ３０６  １００、１０６、２００、２０６、３００
碗曲面円盤プレートバネ        １０１、１０２、１０４、１０５、２０１、２０２  ２０４、２０５、３０１、３０２、３０４、３０５
外輪スペーサ                  １０３、２０３、３０３
冷却パイプ                    ４５０、４５１、４５２、４５３
内防熱ケース内                ４０５
内防熱ケース外                ４０３
外防熱ケース内                ４０９
外防熱ケース外                ４１０
穴付スライドケース内          ４０２
穴付スライドケース外          ４０４
応力部                        ５００、６００
座屈止レール                  ５２７、５２６、５２８、５２９  ６３０、６０６、６３１、６３３
上水ケース                    ５２５
１番組円盤プレートバネ        ５０１、５０２、６２７、６２５
２番組円盤プレートバネ        ５０４、５０６、６２３、６２１
３番組円盤プレートバネ        ５０７、５０８、６２０、６１９
４番組円盤プレートバネ        ５１０、５１１、６１７、６１６
１番目小柱                    ５２２、６２５
２番目小柱                    ５１８、６０７
３番目小柱                    ５１２、６１５
外防熱枠外                    ５１９、６０３
外防熱枠内                    ６０４、５２４
水ケース外枠                  ５１６
水ケース内枠                  ５１７
上水ケース上                  ５３０
上水ケース下                  ５３１
１番目外輪スペーサ            ５０３、６２４
２番目外輪スペーサ            ５０９、６１８
通水管                        ５１５、５１３、６１４、６１３、
固着介部                      ６３２、６０８、６３４、６２２
水囲い枠                      ６０５
【手続補正２】
【補正対象書類名】図面
【補正対象項目名】図１２
【補正方法】追加
【補正の内容】
【図１２】
2010276195.tif 000014
【手続補正３】
【補正対象書類名】図面
【補正対象項目名】図１３
【補正方法】追加
【補正の内容】
【図１３】
2010276195.tif 000015
【手続補正４】
【補正対象書類名】図面
【補正対象項目名】図１４
【補正方法】追加
【補正の内容】
【図１４】
2010276195.tif 000016
【手続補正５】
【補正対象書類名】図面
【補正対象項目名】図１５
【補正方法】追加
【補正の内容】
【図１５】
2010276195.tif 000017